(57)【特許請求の範囲】
【請求項１】
上端で上レールに走行自在に吊り下げられるものであって下端面に走行方向に延びる案内溝を有する戸本体と、
前記案内溝内にある部分と前記案内溝外にある部分とを有し、かつ、壁体、床又は他の戸本体に取り付けられるものである振れ止め部材と、
前記戸本体に取り付けられるものであって前記戸本体の開閉の最終位置で前記振れ止め部材を弾性的に保持する保持部材と
を備えた引き戸の案内装置において、
前記保持部材は前記戸本体の下面に取り付けられていること、
前記戸本体の下面に取り付けられた前記保持部材は、前記戸本体の最終位置で前記振れ止め部材の前記案内溝外にある部分に弾性的に係合する保持片を有していること
を特徴とする引き戸の案内装置。
【請求項２】
請求項１に記載の引き戸の案内装置であって、前記保持部材の保持片は、前記戸本体の案内溝の下方に位置するストリップ状の弾性保持片であることを特徴とする引き戸の案内装置。
【請求項３】
請求項２に記載の引き戸の案内装置であって、前記保持部材の保持片は、下面が下向きに凸となるように湾曲していることを特徴とする引き戸の案内装置。
【請求項４】
請求項３に記載の引き戸の案内装置であって、前記振れ止め部材に前記保持片の下面が係入する凹部が設けられていることを特徴とする引き戸の案内装置。
【請求項５】
請求項２に記載の引き戸の案内装置であって、前記保持部材の保持片は、下面に凹部を有し、前記振れ止め部材に前記保持片の下面の凹部に係入する凸部が設けられていることを特徴とする引き戸の案内装置。
【請求項６】
請求項１乃至５のいずれかに記載の引き戸の案内装置であって、
前記振れ止め部材は、前記案内溝内にある部分を有し、かつ、前記案内溝内にある部分と連続するものであってＬ字形をなして前記案内溝外に位置するＬ字形部分をも有していること、
前記振れ止め部材は、前記壁体、床又は他の戸本体の壁面に取り付けられて前記戸本体の下面の下方に位置していること、
前記保持部材の保持片は、前記戸本体の最終位置で前記振れ止め部材のＬ字形部分に係合すること
を特徴とする引き戸の案内装置。
【請求項７】
請求項１乃至６のいずれかに記載の引き戸の案内装置であって、
前記保持部材は、前記振れ止め部材における前記案内溝内にある部分の両側に延びる１対の保持片を有し、少なくとも一方の保持片が前記振れ止め部材に係合すること
を特徴とする引き戸の案内装置。
【発明の詳細な説明】
【技術分野】
【０００１】
本発明は、引き戸を開閉する際に振れ止めしながら戸本体を案内し、引き戸の開閉の最終位置（完全開位置及び／又は完全閉位置）で戸本体が開閉方向に変位するのを防止するように保持する引き戸の案内装置に関するものであり、特に、引き戸の最終位置で戸本体を保持する保持構造を改良した引き戸の案内装置に関するものである。
【背景技術】
【０００２】
従来技術によるこの種の引き戸が特許文献１（特許第２８６３１３６号公報）に開示されており、この引き戸は、戸本体２乃至４の上端が上レールＲ２乃至Ｒ４にそれぞれ走行自在に吊り下げられ、戸本体の下端面７に走行方向に延びる案内溝８を有し、戸本体が沿っている壁体又は平行に配置された隣の戸本体に取り付けられた振れ止め部材１０、１１の案内片１２が戸本体の案内溝８に係合して戸本体が開閉する際に戸本体の案内溝８と壁体又は他の引き戸の案内片１２との係合で引き戸の開閉時の引き戸の振れが抑制される。一方、戸本体は、その開閉の最終位置、例えば、完全閉位置で案内片１２が案内溝８の末端内に配置された保持部材２０に弾性的に保持されて戸本体２乃至４が案内溝８内でがたついたり開閉方向に変位したりするのを防止している
【０００３】
この従来技術の引き戸は、保持部材２０が案内溝８内に配置されているが、保持部材２０は、戸本体側の案内片１２を両側から抱き止めるような構造を有するため、戸本体側の案内片１２が係入する案内溝８の部分（末端以外の部分）の幅よりも大きな幅を有することになり、このため、案内溝８は、末端では保持部材２０が入り込むのに充分な幅広とすることが必要となる。
【０００４】
このように、特許文献１の従来技術では、案内溝８は、長手方向に異なる幅の溝部分を有することになるので、溝の加工が複雑で面倒であり、また保持部材は、案内片を挟み込むような１対の弾性挟持片を内部に取り付けることを必要とし、保持部材の構造も複雑となる欠点があった。
【０００５】
【特許文献１】特許第２８６３１３６号公報
【発明の開示】
【発明が解決しようとする課題】
【０００６】
本発明が解決しようとする課題は、壁体又は他の隣の戸本体側の案内片が係入して戸本体を案内する案内溝に幅広部分を設ける必要がなく、また戸本体の最終位置での戸本体の保持を簡単な構造で行うことができる引き戸の案内装置を提供することにある。
【課題を解決するための手段】
【０００７】
本発明の課題解決手段は、
上端で上レールに走行自在に吊り下げられるものであって下端面に走行方向に延びる案内溝を有する戸本体と、
前記案内溝内にある部分と前記案内溝外にある部分とを有し、かつ、壁体、床又は他の戸本体に取り付けられるものである振れ止め部材と、
前記戸本体に取り付けられるものであって前記戸本体の開閉の最終位置で前記振れ止め部材を弾性的に保持する保持部材と
を備えた引き戸の案内装置において、
前記保持部材は前記戸本体の下面に取り付けられていること、
前記戸本体の下面に取り付けられた前記保持部材は、前記戸本体の最終位置で前記振れ止め部材の前記案内溝外にある部分に弾性的に係合する保持片を有していること
を特徴とする引き戸の案内装置を提供することにある。
【０００８】
本発明の課題解決手段において、前記保持部材の保持片は、前記戸本体の案内溝の下方に位置するストリップ状の弾性保持片であるのが好ましい。
【０００９】
本発明の課題解決手段において、
前記振れ止め部材は、前記壁体、床又は他の隣の戸本体の壁面に取り付けられて前記戸本体の下面の下方に位置して前記案内溝内にある部分を一体に有するＬ字形の形態を有するのが好ましく、かつ、前記保持部材の保持片は、前記戸本体の最終位置で前記振れ止め部材のＬ字形部分に係合するのが好ましい。
【００１０】
この場合、前記保持部材の保持片は、下面が下向きに凸となるように湾曲しており、前記振れ止め部材のＬ字形部分のウエブの上面に前記保持片の下面が係入する凹みを有していてもよいし、前記保持部材の保持片は、下面に凹部を有し、前記振れ止め部材のＬ字形部分のウエブの下面に前記保持片の凹部に係入する凸部を有していてもよい。
【００１１】
本発明の課題解決手段において、
前記保持部材は、前記振れ止め部材における前記案内溝内にある部分の両側に延びる１対の保持片を有していてもよく、この場合は、前記戸本体の開閉方向の向きに応じて対応する振れ止め部材の案内片の内側に位置する一方の保持片が前記振れ止め部材のＬ字形部分に係合するようにする。
【発明の効果】
【００１２】
本発明によれば、上記のように、戸本体の開閉の最終位置で振れ止め部材を弾性的に保持する保持部材の保持片は、戸本体の案内溝の外で振れ止め部材に係合して戸本体の最終位置で弾性的に保持するので、保持片は、戸本体の案内溝内に取り付ける必要がなく、従って戸本体の案内溝は、振れ止め部材における案内溝内にある部分が振れ止めしながら案内されるように係入することができる同じ幅で全長に亘って形成することができ、案内溝の加工が容易である。
【００１３】
また、戸本体の案内溝は、幅広部分を必要としないで全長に亘って同じ幅で形成することができるので、薄い引き戸に好適に適用することができる。
【００１４】
また、保持部材が１対の保持片を有すると、引き戸の開閉の向きに応じていずれかの保持片を使用することができ、１種の保持部材でいずれの開閉方向の引き戸にも適用することができ、部品数を低減することができる。
【図面の簡単な説明】
【００１５】
【図１】本発明の第１の実施の形態による案内装置を備えた引き戸の下側から俯瞰した斜視図である。
【図２】図１の案内装置の振れ止め部材を有する位置での拡大横断面図である。
【図３】図１の案内装置の要部を縦断面で拡大して示し、同図（Ａ）は、保持部材が戸本体の振れ止め部材を保持していない状態の縦断面図、同図（Ｂ）は、保持部材が戸本体の振れ止め部材を弾性的に保持している状態の縦断面図である。
【図４】図１の案内装置の要部を下面側から拡大して示し、同図（Ａ）は、保持部材が戸本体の振れ止め部材を保持していない状態の下面図、同図（Ｂ）は、保持部材が戸本体の振れ止め部材を弾性的に保持している状態の下断面図である。
【図５】図２と同様であるが、振れ止め部材の保持状態を理解し易くするために案内片を省略して示し同図（Ａ）は、保持部材が戸本体の振れ止め部材を保持していない状態の縦断面図、同図（Ｂ）は、保持部材が戸本体の振れ止め部材を弾性的に保持している状態の縦断面図である。
【図６】本発明に用いられる振れ止め部材を示し、同図（Ａ）乃至（Ｅ）はそれぞれ振れ止め部材の正面図、上面図、側面図、上から見た斜視図及び下から見た斜視図である。
【図７】本発明の第１の実施の形態による保持部材を示し、同図（Ａ）乃至（Ｆ）は、それぞれ、その正面図、上面図、下面図、上面図のＤ−Ｄ線断面図、上から見た斜視図及び下から見た斜視図である。
【図８】本発明の第１の実施の形態による振れ止め部材と保持部材との関係を示し、同図（Ａ）乃至（Ｃ）は、それぞれ、その両部材が噛み合う前の斜視図、保持部材を分解した状態の図８（Ｂ）と同様の斜視図及び両部材が噛み合った状態の斜視図である。
【図９】本発明の第２の実施の形態による引き戸の案内装置を保持部材のねじ止め部分から外れた位置で断面にして示し、同図（Ａ）（Ｂ）は、その振れ止め部材と保持部材との係合前と係合後の相互関係をそれぞれ示す垂直断面図である。
【図１０】図９と同じ実施の形態による引き戸の案内装置を示し、同図（Ａ）（Ｂ）は、その振れ止め部材と保持部材との係合前と係合後の相互関係をそれぞれ示す斜視図である。
【発明を実施するための最良の形態】
【００１６】
本発明の第１の実施の形態による案内装置２０を備えた引き戸１０が図１乃至図５に示されており、図示の形態では、引き戸１０は、壁体１２に平行に配置された２つの戸本体１４Ａ、１４Ｂから成っており、これらの戸本体１４Ａ、１４Ｂは、壁体１２に支持された図示しない上レールにそれぞれ吊りローラを介して壁体１２に平行に沿って開閉するように走行自在に支持されている。
【００１７】
案内装置２０は、戸本体１４Ａ、１４Ｂ（以下総体的には符号１４で示す）の下端面１４Ｌに設けられ走行方向に延びる案内溝３０と、戸本体１４Ａに平行に配置された壁体１２及び戸本体１４Ｂに平行に配置された他の隣の戸本体１４Ａにそれぞれ取り付けられて案内溝３０に係入する案内片４２を有する振れ止め部材４０と、戸本体１４に取り付けられ戸本体１４の開閉の最終位置で振れ止め部材４０を弾性的に保持する保持部材５０とを備えている。
【００１８】
戸本体１４の案内溝３０は、図１及び図４から解るように、所定の同じ幅で全長に亘って延びており、この溝幅３０Ｗは、振れ止め部材４０の案内片４２が戸本体の走行方向に自由に摺動できるように係入するのに必要な寸法に設定されている。
【００１９】
振れ止め部材４０は、図６に示すように、壁体１２又は他の隣の戸本体１４Ｂの壁面にねじ止めすべき取付け片４４とこの取付け片４４の下端から水平に延びるウエブ４６とこのウエブ４６の取付け片４４とは反対側から垂直に起立して案内片４２を形成する冠状体４２Ｃが嵌合して取り付けられる案内片支持部４２Ｓとから成っている。従って、この振れ止め部材４０は、取付け片４４とウエブ４６とでＬ字形部分４０Ｌを形成している。この振り止め部材４０は、取付け片４４を壁体１２又は他の隣の戸本体１４Ｂの壁面にねじ４４Ｓ（図３参照）によって固定して取り付けられている。なお、図６において、符号４４Ｈは、ねじ４０Ｓが貫通するねじ貫通孔である。
【００２０】
保持部材５０は、図７に示すように、戸本体１４の下端（図３及び図５参照）に埋め込んで取り付けられる取付け体５２と、案内溝３０の下方に位置してこの取付け体５２から案内溝３０の下方に位置して戸本体１４の開閉の最終位置で振れ止め部材４０の案内片４２以外の部分に弾性的に係合する保持片５４とから成っている。図示の形態では、取付け体５２は、図７（Ｄ）、図８（Ｂ）に示すように、保持片５４を一体に有する基体５２Ｂとこの基体５２Ｂ内に重合するカラー５２Ｃとから成っているが、これらは一体に形成されていてもよい。また、図示の形態では、保持片５４は、案内溝３０の下方を案内溝３０に沿って延びるストリップ状の弾性保持片であるのが示されているが、保持片５４は弾性を有しないでこの保持片５４が係合する振れ止め部材側の係合部分に弾性を持たせてもよい。なお、「案内溝３０の下方」とは、案内溝３０の下面開口部から離れている場合だけではなく、案内溝３０内でなければ、案内溝の下面開口部と同一面、即ち、戸本体１４の下面に位置していてもよく、図３及び図６に示すように、実際には、保持片５４の中間は、案内溝３０から離れた下方位置にあるが、保持片５４両端は、案内溝３０の外であるが、案内溝３０の下面開口部と同一面、即ち戸本体１４の下面にあり、「案内溝３０の下方」とはこの両方を含むことを理解すべきである。
【００２１】
図示の形態では、取付け体５２は、図３に示すように、案内溝３０の末端付近に形成された取付け溝１４Ｇに埋め込まれて保持片５４が案内溝３０の下方に位置するように配置され、この取付け体５２は、その内部にねじ４０Ｓが貫通するねじ貫通孔５２Ｈを有し、ねじ４０Ｓは、このねじ貫通孔５２Ｈを貫通して戸本体１４に固定されている。図３から解るように、ねじ４０Ｓは、その頭部が戸本体１４の下面から突出しないようにねじ貫通孔５２Ｈ内に入り込んでいる。なお、この取付け体５２は、図３から解るように、取付け体５２に一体に設けられ戸本体１４の下端面１４Ｌに係合するフランジ５２Ｆを有し、このフランジ５２Ｆは、取付け体５２が戸本体１４に安定に取り付けられるようにする機能を有する。
【００２２】
図示の形態では、保持片５４は、振れ止め部材４０のウエブ４６の上面に係合して保持部材５０が振れ止め部材４０を保持するようにしているが、保持片５４が係合する部分は、振れ止め部材４０の案内片４２と異なる高さ位置、即ち案内溝３０内にある部分以外の部分であれば、振れ止め部材４０のどの部分であってもよく、例えば、ウエブ４６の下面であってもよいし、保持片５４は、その板面が垂直になるように延びていて振れ止め部材４０のＬ字形部分４０Ｌの取付け片４４の下側部分の垂直面に係合するようにしてもよい。
【００２３】
特に、図７、図８（Ａ）（Ｂ）に示すように、保持片５４は、その先端が対応する戸本体１４の移動方向に向けて上向きに湾曲する先端を有し、下面が下向きに凸となるように湾曲しており、一方、特に、図５（Ｂ）に示すように、振れ止め部材４０のＬ字形部分４０Ｌのウエブ４６の上面に保持片５４の凸の下面が係入する浅い凹み４６Ｒを有する。
【００２４】
本発明の第１の実施の形態による案内装置２０を有する引き戸１０の使用状態を述べると、引き戸１０の戸本体１４Ａ、１４Ｂを完全に閉じ位置から移動したり、完全に開いた位置から閉じ位置に向けて移動したりするように、図示しない吊りローラを介して上レール上を走行しながら開閉する際には、戸本体１４の下端面１４Ｌの案内溝３０内に相手方である壁１２又は他の隣の戸本体１４に取り付けられている振れ止め部材４０の案内片４２が係入しているので、戸本体１４がその板面に直角の方向に振れるのが防止され、従って戸本体１４は、垂直状態を保ったまま円滑に開閉される（図３乃至５の（Ａ）参照）。
【００２５】
一方、これらの戸本体１４が開閉の最終位置、例えば、戸本体１４が完全に開いた位置（戸本体１４と壁体１２や他の隣の戸本体に相互に重合した位置）に達すると、その振れ止め部材４０は、そのウエブ４６の上面の浅い凹部４６Ｒに、相手方の壁体１２又は他の隣の戸本体１４に取り付けられた保持部材５０の保持片５４が係入し（図３乃至図５の（Ｂ）及び図８（Ｃ）参照）、振れ止め部材４０が取り付けられている戸本体１４が壁体１２や他の隣の戸本体１４に対して弾性的に保持されるので、戸本体１４の走行方向に変位するのが防止される。なお、この保持状態は、図示の場合には、戸本体１４の完全に開いた位置で維持されているが、戸本体１４が壁体１２や他の隣の戸本体１４に対して完全に閉じた位置（戸本体１４と壁体１２や他の隣の戸本体１４との重合から完全に外れた位置）でも同様に維持されるようにしてもよい。
【００２６】
本発明の第２の実施の形態が図９及び図１０に示されており、この実施の形態では、保持部材５０は、１つの保持片弾性爪片５４ではなく、取付け体５２の両側に延びる１対の保持片５４を有する。また、これらの保持片５４は、図９及び図１０の形態では、その下面に凹部５４Ｒを有し、振れ止め部材４０のウエブ４６は、戸本体１４の最終位置で、保持片５４の凹部５４Ｒに係入する凸部４６Ｐを上面に有しており、第１の実施の形態とは係合の凹凸が逆となっているが、第１の実施の形態と同じ係合の凹凸であってもよい。この第２の実施の形態の案内装置２０は、保持部材５０の弾性爪片５４が戸本体１４の開閉の最終位置で振れ止め部材４０のウエブ４６の上面の凸部４６Ｐが保持片５４の下面の凹部５４Ｒに係入することを除いて図１乃至図８の第１の実施の形態と同じ構造を有し、同様の動作をするが、１対の保持片５４は、戸本体１４の開閉方向の向きに応じて対応する振れ止め部材４０の案内片４２の内側に位置する一方の保持片が振れ止め部材４０のＬ字形部分のウエブ４６に係合する。
【００２７】
このように、第２の実施の形態では、左右の開き方向が異なる戸本体１４を最終位置で保持する場合に１対の保持片５４のうちいずれかの側の保持片５４をウエブに係合するように利用することができるが、振れ止め部材４０が、床に取り付けられた逆Ｔ字形であって案内片の両側にウエブ面がある場合に、１対の保持片５４の両方が両ウエブ面に係合するように使用することもできる。
【００２８】
なお、上記実施の形態では、壁体側の戸本体１４Ａに相応する振れ止め部材４０は、Ｌ字形部分を構成する取付け片４４を壁体１２に取り付けたが、取付け片４４を省略してウエブ部分を床に取り付けてもよい。
【００２９】
また、この種の引き戸は、戸本体の上部に上下調節機構を有するものがあるが、このような上下調節機構を有する場合には、戸本体を上下方向に微調整することによって保持片５４と振れ止め部材４０との係合部分での保持力を調整することができるので、引き戸の設置が容易となる。
【産業上の利用可能性】
【００３０】
本発明によれば、戸本体の開閉の最終位置で振れ止め部材を弾性的に保持する保持部材は、戸本体の案内溝内ではなく、案内溝の下方に位置する保持片から成っているので、案内溝は、保持部材とは関係なく、従って全長に亘って同じ溝幅で形成することができ、溝加工が容易であり、産業上の利用性がある。
【符号の説明】
【００３１】
１０      引き戸
１２      壁体
１４、１４Ａ、１４Ｂ  戸本体
１４Ｇ    取付け溝
１４Ｌ    下端面
２０      案内装置
３０      案内溝
３０Ｗ    溝幅
４０      振れ止め部材
４０Ｌ    Ｌ字形部分
４０Ｓ    ねじ
４２      案内片
４２Ｃ    冠状体
４２Ｓ    案内片支持部
４４      取付け片
４４Ｈ    ねじ貫通孔
４４Ｓ    ねじ
４６      ウエブ
４６Ｒ    浅い凹み
４６ＲＬ  下側凹み
４６Ｐ    凸部
５０      保持部材
５２      取付け体
５２Ｆ    フランジ
５２Ｈ    ねじ貫通孔
５４      保持片
５４Ｐ    凸部
５４Ｒ    凹部
【図１】
0005595996.tif 000002
【図２】
0005595996.tif 000003
【図３】
0005595996.tif 000004
【図４】
0005595996.tif 000005
【図５】
0005595996.tif 000006
【図６】
0005595996.tif 000007
【図７】
0005595996.tif 000008
【図８】
0005595996.tif 000009
【図９】
0005595996.tif 000010
【図１０】
0005595996.tif 000011